(57)【要約】【課題】光ディスク装置において、シーク動作の場合にも記録時間を短縮可能な技術を提供する。【解決手段】光ディスクにデータを記録するとき、回転中の光ディスクにおける現在のレーザ光照射位置の線速度を検出し、該検出した線速度に応じた記録パワーを演算により求め、該求めた記録パワーを所定の電圧レベルと所定の時間幅のライトストラテジとして設定し、該設定したライトストラテジに基づきレーザダイオードを駆動して、シーク終了前から光ディスクにデータを記録開始可能にする。【選択図】図１
2007149185.tif 000002
【特許請求の範囲】
【請求項１】
光ディスクに対しデータを記録または再生する光ディスク装置であって、
上記光ディスクを回転駆動するモータと、
回転中の光ディスクの現在位置の線速度を検出する検出手段と、
上記検出した線速度に応じた記録パワーを演算し、該演算した記録パワーを所定の電圧レベルと所定の時間幅のライトストラテジとして設定する制御手段と、
上記設定したライトストラテジに基づきレーザダイオードを駆動するレーザ駆動手段と、
を備えたことを特徴とする光ディスク装置。
【請求項２】
上記検出手段は、再生されたウォブル信号の周期から線速度を求める構成である請求項１に記載の光ディスク装置。
【請求項３】
上記検出手段は、上記モータから周期的に発生する信号の線速度を求める構成である請求項１に記載の光ディスク装置。
【請求項４】
上記検出手段は、上記モータが光ディスクの回転数を変更し、回転数が次の回転数に安定するまでの間において、再生されたウォブル信号の周期から線速度を求める構成である請求項１、２または３に記載の光ディスク装置。
【請求項５】
レーザ光による光ディスクへのデータ記録方法であって、
回転中の光ディスクにおける現在のレーザ光照射位置の線速度を検出する第１のステップと、
上記検出した線速度に応じた記録パワーを演算する第２のステップと、
上記求めた記録パワーを所定の電圧レベルと所定の時間幅のライトストラテジとして設定する第３のステップと、
上記設定したライトストラテジに基づきレーザダイオードを駆動して光ディスクにレーザ光を照射し、データを記録する第４のステップと、
を備えたことを特徴とする光ディスクへのデータ記録方法。
【請求項６】
上記第１のステップでは、再生されたウォブル信号の周期から線速度を求める請求項５に記載の光ディスクへのデータの記録方法。
【請求項７】
上記第１のステップでは、上記光ディスクを回転駆動するモータから周期的に発生する信号の線速度を求める請求項５に記載の光ディスクへのデータ記録方法。
【請求項８】
上記第１のステップでは、上記線速度は、光ディスクの回転数が変更され、次の回転数に安定するまでの間に求められる請求項５、６または７に記載の光ディスクへのデータ記録方法。
【発明の詳細な説明】
【技術分野】
【０００１】
本発明は、光ディスク装置に係り、特に、光ディスクにデータを記録するための技術に関する。
【背景技術】
【０００２】
光ディスクは、大容量の記録媒体であり、読み出し専用だけでなく、書き換え可能なものや、１度だけ書き込み可能なものなどが開発され、広く普及している。書き換え可能な光ディスクでは、記録時に、レーザ光を光ディスクの記録膜に集め、該記録膜の状態を結晶状態、または非結晶状態に変化させることによって記録データに対応したマークを形成し、再生時に、上記マークからの反射レーザ光の光量が変化するようにしている。また、１度だけ書き換え可能な光ディスクでは、照射レーザ光の熱により記録膜の組成を変化させることで該記録膜の反射率を変化させる方式など、いくつかの方式が開発されている。
これら光ディスクはデータ記録などの用途に用いられ、データは、ますます高密度記録される方向にある。高密度記録の方向とあいまって、記録データの信頼性向上や、記録動作に要する時間（記録時間）のより一層の短縮化が望まれている。
【０００３】
本発明に関連した従来技術であって、特許文献に記載されたものとしては、例えば特開平７−１４１６５号公報（特許文献１）に記載された技術がある。該公報には、光ディスクの線速度が異なっても熱的に等価にして光ディスクの記録特性及び消去特性の性能を向上させるために、光ディスクの位置での線速度を検出し、高周波パルス周期とパルス幅を線速度比の１／ａ倍に設定することで、線速度が変わっても記録時のレーザ照射に伴う光ディスク内の温度変化を略同一にして、最適な条件で記録が行えるようにするとした技術が記載されている。
【０００４】
【特許文献１】特開平７−１４１６５号公報
【発明の開示】
【発明が解決しようとする課題】
【０００５】
ディスクの回転制御方法には、ＣＬＶ（Ｃｏｎｓｔａｎｔ  Ｌｉｎｅａｒ  Ｖｅｌｏｃｉｔｙ）方式とＣＡＶ（Ｃｏｎｓｔａｎｔ  Ａｎｇｕｌａｒ  Ｖｅｌｏｃｉｔｙ）方式とがあり、ＣＬＶ方式は線速度を一定に保つ方式であり、データを記録するには主に該ＣＬＶ方式が用いられる。
【０００６】
図９に、ＣＬＶ方式で光ディスクを回転させた場合におけるディスク半径位置と、データ転送レート及びディスク回転数との関係を示す。ＣＬＶ方式では、モータが最大に回転できる速度で光ディスクを回転させ、しかも、データを線速度一定で記録できるように制御する。本図９は、記録領域を２倍速、４倍速、６倍速、８倍速の領域に分け、それぞれの領域内では線速度が一定となるように回転速度を制御している場合を示す。かかる各倍速領域では、線速度が一定に安定するまでは記録動作が不可能である。例えばシーク中は線速度が急速に変化するため、シークが終了し、目標となる回転数に静定して線速度が一定となるまで記録を開始することができない。このため、該ＣＬＶ方式では、アクセス数が多い記録の場合には、記録に要する時間が長くなる。
【０００７】
本発明の課題点は、上記従来技術の状況に鑑み、光ディスク装置において、ＣＬＶ方式の装置の場合にも、記録に必要な時間を短縮することができるようにするとともに、信頼性の高いデータ記録を可能にすることである。
本発明の目的は、かかる課題点を解決し、使い勝手の良い光ディスク装置技術を提供することにある。
【課題を解決するための手段】
【０００８】
上記課題点を解決するために、本発明では、レーザ光によって光ディスクにデータを記録するとき、回転中の光ディスクにおける現在のレーザ光照射位置の線速度を検出し、該検出した線速度に応じた記録パワーを演算により求め、該求めた記録パワーを所定の電圧レベルと所定の時間幅のライトストラテジとして設定し、該設定したライトストラテジに基づきレーザダイオードを駆動して光ディスクにデータを記録する。これにより、シーク中からの記録動作の開始が可能となる。
【発明の効果】
【０００９】
本発明によれば、光ディスク装置において、記録時間の短縮化と、信頼性の高いデータ記録とが可能となる。
【発明を実施するための最良の形態】
【００１０】
以下、本発明の実施の形態にき、図面を用いて説明する。
図１は、本発明の一実施形態としての光ディスク装置の構成例を示す図である。
図１において、１１は光ディスク、１２はピックアップ、４１は、レーザ駆動手段としてのＬＤＤ（ｌａｓｅｒ  Ｄｉｏｄｅ  Ｄｒｉｖｅｒ）、４２は、レーザダイオードであるＬＤ（Ｌａｓｅｒ  Ｄｉｏｄｅ）、４３はプリズム、４４は対物レンズ、４５は、分割型受光素子であるフォトデテクタすなわちＰＤ（Ｐｈｏｔｏ  Ｄｅｔｅｃｔｏｒ）、１３は、ＰＤ４５からの出力を適宜演算する演算回路、１４は、回転中の光ディスク１１の現在位置の線速度を検出する検出手段としてのウォブル検出回路、１５は記録用ＰＬＬ（Ｐｈａｓｅ  Ｌｏｃｋｅｄ  Ｌｏｏｐ）、１６は、記録用の信号（記録信号）を処理する記録信号処理回路、１７は、記録信号のパルスすなわちライトパルスを生成するライトパルス生成回路、１８はメモリ、１９は、演算回路１３からの出力される再生信号に対し復調処理などを行う再生信号処理回路、２０は入出力回路、２１は信号入力端子、３０は、光ディスク１１を回転駆動するモータ、３１は、モータ３１の回転すなわち光ディスク１１の回転を制御する回転制御回路、３２は、モータ３１の回転数すなわち光ディスク１１の回転数を検出する回転数検出回路、３３は、光ディスク装置全体の制御を行う制御手段としてのシステム制御回路である。
【００１１】
光ディスク１１に情報（データ）を記録する場合には、まず、記録する情報を信号入出力端子２１から入力し、インターフェイス回路と呼ばれる入出力回路を介して、メモリ１８に蓄える。記録信号処理回路１６では、記録する媒体に応じたフォーマットにより、メモリ上のデータを信号処理し、光ディスクに記録する準備をする。記録信号処理回路は、例えば、データの配列に応じたインターリーブを施したり、サブコード、誤り訂正符号を付加したり、媒体に応じた変調を施したりする機能を備える。変調されたデータは、ライトパルス生成回路１７により、記録するマークの長さに応じたライトパルスを生成し、ピックアップ１２にライトパルスを送る。ライトパルスについては、図４−図５にて説明する。また、ライトパルス生成回路はピックアップ１２上に搭載されていてもかまわない。ライトパルスはＬＤＤ４１で受け、ライトパルスに応じたレーザ発光電流を生成し、ＬＤ２２を発光させる。発光されたレーザ光は、対物レンズ４４にて光ディスク１１に集光され、記録マークを形成する。また、光ディスク１１から反射して戻ってきた光は、プリズム４３で反射し、ＰＤ４５により光信号から電気信号へ変換される。ＰＤ４５は、複数の領域に分割されており、電気信号に変換されたそれぞれの信号は、演算回路１３により、加減算処理がなされ、データを再生するための信号やサーボ制御のための信号、ウォブル信号などが生成されるように処理される。データを再生するための信号は、再生信号処理回路１９に送られる。ウォブル検出回路１４では、ウォブル信号を検出し、ウォブル中にアドレス信号が埋め込まれている場合には、アドレス生成を行う。また、検出したウォブル信号を記録用ＰＬＬ１５へ渡す。記録用ＰＬＬ１５では、ウォブル信号を基に記録クロックを生成する。光ディスクの回転は、回転制御回路３０からの信号によりモータ３１を制御することで行う。モータ３１からは、その１周の間に等間隔で所定の数だけ出力されるパルス信号例えばＦＧ（Ｆｒｅｑｕｅｎｃｙ  Ｇｅｎｅｒａｔｏｒ）信号が出力され、該信号に基づき、回転数検出回路３２により回転数が検出され、記録用ＰＬＬ１５に送られる。
以下、説明中で用いる図１の光ディスク装置における各構成要素には、図１の場合と同じ符号を付して用いるとする。
【００１２】
ＣＬＶ方式で記録する場合において、光ディスク１１上の現在位置から、他の離れた位置にデータを記録する場合、光ディスク１１の回転数が、記録する位置での所定の回転数となるように、回転制御回路３０によってモータ３１が制御される。
【００１３】
図２は、ピックアップ１２が、光ディスク１１の外周側の位置から、該位置よりも回転数の多いディスク内周側の位置にシークして記録を行う場合の動作を示したものである。横軸は時間経過を示す。ピックアップ１２が光ディスク１１の外周側位置にあるときは、該光ディスク１１を低速で回転させ、ピックアップ１２が光ディスク１１の内周側に移動したときには該光ディスク１１を高速で回転させる。そのため、シーク開始位置から、目標の回転数に達するまでは、光ディスク１１の回転数を上げるように、モータ３１を回転駆動する。光ディスク１１の回転数が、最後に目標回転数に近づいたところで、ブレーキパルスにより該目標回転数に落ち着かせる。記録用ＰＬＬは、ピックアップ１２が外周側位置にあるときには、ＰＬＬはロックしている状態にあり、記録クロックを生成可能な状態にある。シークを開始すると、ＰＬＬのキャプチャレンジを超えてしまい、いったんロックしていない状態に陥る。そのため記録用ＰＬＬのロック状態を示す引き込み検出信号はＯＮからＯＦＦの状態に変化する。しかし、記録用ＰＬＬが広い帯域で引き込み可能なＰＬＬであれば、シーク途中で再びロックし、引き込み検出信号はＯＮ状態に変わる。
【００１４】
従来は、目標位置の回転数に回転数が安定化してから、光ディスク１１へのデータの記録を開始していたのを、本発明では、記録用ＰＬＬがロックしたときから、記録を開始できるようにするとともに、信頼性の高いデータとして記録できるようにする。このため、シーク途中で回転数が安定化していないときからの記録も可能なように記録制御を行う。
【００１５】
光ディスク１１にデータを記録する場合は、記録するマークの長さ（マーク長）に応じたレーザ光を発光させ、光ディスク１１の記録膜に照射し該記録膜に熱を与える。光ディスク１１では、変調方式によって複数のマーク長・スペース長を記録するが、それぞれ単位とするクロックの長さ（チャネルビット長）に対して整数倍の長さのマーク・スペースをディスク上に記録する。チャネルビット長をＴとするとき、ＤＶＤでは、最小のマーク長は３Ｔとなる。
【００１６】
光ディスク１１の線速度が一定に保たれている場合には、同じ記録マーク長に対してマークの長さは等しく、同じレーザ光の発光パワーで記録すればよい。例えばチャネルビット長５Ｔのマークを記録する場合、記録する時間的な長さは等しく、記録発光波形も等しい。しかし、図２で示したように、シークが行われると、回転数の異なる領域に移動するため、シーク途中では、線速度は変化する。よって、同じマーク長のデータを記録する場合にも、実際にレーザを発光する発光パワーが異なる。そのため、回転数を検出することで、回転数に応じたレーザ光の発光を行い、適切な記録パワーで記録することにより信頼性の高い記録を行う。
【００１７】
図３は、広帯域のキャプチャレンジを有する記録用ＰＬＬ１５の一例を示す。
図３において、１５１は位相誤差検出回路、１５２はループフィルタ１（ＬＰＦ１という）、１５３はＶＣＯ（電圧制御発振器）、１５４は、分周回路１と分周回路２を備えて成る分周器、１５５は誤差検出回路、１５６はループフィルタ２（ＬＰＦ２という）である。記録型ＤＶＤ等の光ディスクでは、トラックをわずかにうねらせることにより、ウォブル信号がディスク上に刻まれている。ウォブルには、アドレス情報が埋め込まれているとともに、ウォブルのうねりの周期がデータを記録するためにクロックの所定の倍数になっている。よって、ウォブルを検出して所定の倍数分だけ逓倍した周波数がチャネルクロックと同じ周波数となる。ウォブルは、ディスク上のどの記録エリアでも、同じマーク長のデータが同じ長さに書けるように、トラックに対して概ね同じ周波数でうねるように刻まれている。
【００１８】
線速度一定時においては、記録用ＰＬＬ１５は、ウォブル検出回路１４から検出されたウォブル信号を受け取り、位相誤差検出回路４１にてウォブル信号と分周回路１からの信号の位相を検出する。検出された位相誤差はＬＰＦ１により平滑化され、ＶＣＯ１５３に送られる。ＶＣＯ１５３では、ＬＰＦ１から入力された誤差分に応じて出力する周波数を変化させる。分周器１５４の分周回路１ではＶＣＯ１５３からの出力をウォブル周波数から求めた所定の数だけ分周し、ウォブル信号と比較のために、位相誤差検出回路１５１に送る。誤差がなければＬＰＦ１からの入力は一定であり、ＶＣＯ１５３からの出力の周波数は変化しない。この仕組みによりＶＣＯ１５３からの出力を、ウォブル周波数に応じた周波数で出力することが可能となる。
【００１９】
シーク動作中は、回転数が大きく変化し、線速度が変わるとともにウォブル周波数も変化しながら、目標の回転数となるように回転制御がなされる。そのため、記録用ＰＬＬ１５は、ＰＬＬが同期しているロックレンジを超えてしまい、ＰＬＬがアンロックの状態になる。このとき、回転数の状態がわかる信号を基に、ＰＬＬを再びロックさせるように動作させる。回転数検出回路３２から、現在の回転数の情報を受け取り、分周器１５４の分周回路２の周波数と比較する。その誤差をＬＰＦ２を介してＶＣＯ１５３に送る。ＶＣＯ１５３では、発振周波数の中心となるフリーラン周波数を変化さて、ウォブルからの信号に対してＶＣＯ１５３がロックできる範囲に、ロックする中心周波数を合わせるようにする。このようにしてＰＬＬを引き込ませたあとは、回転周波数の変化に応じて、ＶＣＯ１５３の中心周波数を変化させ、ＰＬＬをロックさせた状態のまま、ウォブル信号に追従したＶＣＯ周波数を出力するようにする。この動作により、シーク動作時など大幅にウォブル周波数がずれた場合にも、記録用ＰＬＬを引き込み可能な範囲に制御することができ、ＰＬＬ引き込み後は、通常の制御状態として、安定してウォブルにロックさせることが可能となる。
本実施形態では、上記のように、回転数の情報を得るために回転数検出回路３２からの情報を用いたが、ウォブルの周波数や、線速度を検出して制御することも可能である。
このようにウォブルクロックを用いて、ディスクにデータを記録すれば、シーク中のような線速度が変化している場合でも、記録マークの長さを適切な長さに記録することができる。
【００２０】
図４は、マークの記録を行うときにレーザダイオードを発光させるレーザ発光波形（ライトストラテジともいう）の一例を示したものである。
図４において、（ａ）は、ディスクのある位置でのライトストラテジＡを示し、このときのディスクの回転数はＡである。先頭のパルスは時間ｔｆａの幅を有し、最後のパルスは時間ｔｌａの幅を有する。先頭のパルスと最後のパルスとの間にはさまれたパルスは、周期がチャネルクロックＴと等しい。記録パルスの最高パワーはパワーＡ１であり、最も低いパワーＡ３はクーリングパワーと呼ばれる。その中間のパワーＡ２は消去レベルのパワーである。また、（ｂ）は、ディスクのある位置でのライトストラテジＢを示し、このときのディスクの回転数はＢである。先頭のパルスは時間ｔｆｂの幅を有し、最後のパルスは時間ｔｌｂの幅を有する。先頭のパルスと最後のパルスとの間にはさまれたパルスは、周期がチャネルクロックＴであり、上記（ａ）の場合と相対的なＴの長さは異なるが、基準クロックとしての単位Ｔとして示している。（ｂ）の場合も、ライトストラテジＡとは異なるパワーであるが、通常はクーリングパワーと消去パワーのレベルはライトストラテジによって変わらない。
【００２１】
回転数Ａと回転数Ｂでは、上記のようにライトストラテジが異なる。最適な記録を行うためには、回転数に応じて適切な発光パワーで発光させることが必要である。そのため、回転数を検出する回路により現在の回転数を検出し、その回転数に応じたレーザ発光を行うようにする。回転数ＡのときはライトストラテジＡ、回転数ＢのときにはライトストラテジＢ、回転数Ａと回転数Ｂの間の途中の場合には、ライトストラテジＡとライトストラテジＢの中間のパワーで発光させるようにする。例えば、現在の回転数が回転数Ａと回転数Ｂの中間である場合には、ライトストラテジの先頭パルスを（ｔｆａ＋ｔｆｂ）／２となるように制御し、最後のパルスを（ｔｌａ＋ｔｌｂ）／２となるようにする。記録パワーも、パワーＡ２、Ａ３と、パワーＢ２、Ｂ３が等しい場合には、パワー（Ａ１＋Ｂ１）／２のパワーで記録するようにする。このように回転数に合わせて、記録パルスの時間や発光パワーを調整することで、最適なマークを記録することができる。このとき、記録の基準となる記録クロックは、記録用ＰＬＬ１５がロックしているため、光ディスク１１の回転速度に合わせて適切に制御される。
【００２２】
記録パルスの幅と発光パワーとの両方を制御することが困難な場合には、このうちの一方だけを制御するようにしてもよい。これは、記録発光により記録膜に集光されるレーザ光のエネルギーは概ね、記録パルスの幅と発光パワーとの積に等しいと考えられるためである。特に、記録パルスの幅を変更することは、パラメータの設定数が多く複雑なため、発光パワーのレベルのみで回転数に応じた制御を行い、大幅に回転数が変化したときに、記録パルスの幅を変更するようにすれば、装置への負担も少ない。また、中間のパワーレベルを求める方法も、比例配分のような直線的な補間ではなく、変化の特性に合わせたカーブで近似してその変化量に応じた値を用いてもよい。
【００２３】
上記方法を用いれば、シークの場合などで、回転数が変化している途中からでも記録を開始することができ、記録に要する時間を短縮化して適切な記録制御を行うことが可能となる。特に、光ディスク上にデータをランダムに記録するような場合には、シーク動作が頻発するが、上記方法を用いることで、記録に要する時間を大幅に短縮することができる。
【００２４】
図５は、図４の場合と異なるライトストラテジの例を示したものである。
図５において、回転数Ｃと回転数Ｄではライトストラテジが異なる。最適の記録を行うためには、回転数に応じて適切な発光パワーでＬＤ４２を発光させることが必要である。そのため、回転数検出回路３２により現在の回転数を検出し、その回転数に応じたレーザ発光を行うようにする。回転数ＣのときはライトストラテジＣ、回転数ＤのときにはライトストラテジＤ、そしてその途中の場合には、ライトストラテジＣとライトストラテジＤの中間のパワーで発光させるようにする。例えば、現在の回転数が回転数Ｃと回転数Ｄの中間である場合には、ライトストラテジの先頭パルスを（ｔｆｃ＋ｔｆｄ）／２となるように制御し、ラストパルスを（ｔｌｃ＋ｔｌｄ）／２となるようにする。記録パワーも、パワーＣ２、Ｃ３とパワーＤ２、Ｄ３が等しい場合には、パワー（Ｃ１＋Ｄ１）／２のパワーで記録するようにする。
【００２５】
図６は、光ディスク装置のシーク中における記録パワーの設定手順の説明図である。
図６において、
（１）システム制御回路３３は、シーク指示を受けて光ディスク装置にシークのための動作をスタートさせる（ステップＳ６０）。
（２）シーク動作が開始される（ステップＳ６１）。
（３）ウォブル検出回路１４が、現在の線速度を計測する（ステップＳ６２）。
（４）ステップＳ６２で計測した線速度情報に基づき、システム制御回路３３が、光ディスク装置がまだシーク中か否かの判別を行う（ステップＳ６３）。該判別には、ステップＳ６２で計測した線速度情報以外の情報、例えばモータからの回転数情報等を用いてもよい。該情報が変化している途中であれば、システム制御回路３３は、装置がまだシーク中である（ＹＥＳ）とし、該情報が既に変化していない場合はシーク中ではない（ＮＯ）とする。
（５）ステップＳ６３における判別の結果、装置がまだシーク中である（ＹＥＳ）とされた場合は、システム制御回路３３は、現在の線速度に応じた記録パワーを計算（演算）する（ステップＳ６４）。
（６）システム制御回路３３は、ステップＳ６４で計算した記録パワーを、記録パワーとして設定する（ステップＳ６５）。
（７）ステップＳ６３における判別の結果、シークが終了している（＝シーク中ではない）とされた場合は、システム制御回路３３は、シーク先の目標とする記録パワーへの設定を行う（ステップＳ６６）。
（８）ステップＳ６６における記録パワーの設定後、システム制御回路３３は、シーク中の記録パワー追従動作を終了させ、装置のシーク動作を終了させる（ステップＳ６７）。
【００２６】
上記手順の処理を行うことにより、光ディスク装置は、シーク中であっても適切な記録パワーで記録動作を行うことが可能となる。なお、システム制御回路３３は、上記ステップＳ６０〜ステップＳ６７の一連の手順を、光ディスク装置内のメモリなどに記憶されたプログラムに従って実行し、上記（１）〜（８）の装置動作が自動的に行われるようにする。
【００２７】
図７は、図３に示した記録用ＰＬＬ１５の別の実施形態である。本図７の実施形態においては、ウォブルがディスク上に一定の周波数で刻まれていることを用いて、ウォブル信号により、光ディスク１１の回転数や線速度に関する情報を得る。図７において、１５４'は、分周回路１と分周回路３とを備えて成る分周器である。該分周器１５４'は、分周回路３によりウォブルのチャネルクロックに対応した数に応じた分周を行うものであり、これによりＶＣＯ１５３の中心周波数の変化をも合せ込んだ分周を行う。つまり、ウォブル周期によって線速度を検出し、線速度に合せた記録用ＰＬＬの引き込みが可能となる。
【００２８】
図８は、光ディスク１１の回転数情報を、回転数検出回路３２からでなく、ウォブル検出回路１４から得るようにした場合の光ディスク装置の構成例である。他の部分の構成及び作用は、図１の場合と同様である。本図８の構成では、ウォブルは、光ディスク１１上のどの位置でも概ね一定の周波数で刻まれているため、ウォブル信号から光ディスク１１の回転数や線速度に関する情報を得ることが可能であり、該得た情報に基づき、記録パルスの時間や発光パワーを調整し、最適なマークを記録することができる。
【００２９】
上記実施形態によれば、シーク中の線速度を検出し、現在の線速度の前後位置のストラテジから現在の線速度に応じた最適な記録パワーと記録ストラテジを求める構成のため、シーク中でも記録動作が可能となり、その結果、シーク多発時の総記録時間の短縮化を図ることができる。
【００３０】
なお、上記実施形態として説明した技術は、ＣＡＶ方式で回転制御する場合のように、回転数に変化がなくてもピックアップ１２の位置が変わることで線速度が変化する場合にも適用可能である。かかる場合には、回転数からの情報ではなく、ピックアップ１２の半径位置から線速度の情報を求め、線速度に応じたレーザ発光の制御を行う。ＣＡＶ方式におけるシークの場合にも、シーク先の半径位置から線速度を求め、その位置において適切な発光パワーでレーザ発光を制御すればよい。
【図面の簡単な説明】
【００３１】
【図１】本発明の一実施形態としての光ディスク装置の構成例図である。
【図２】シーク動作時のディスク回転数、モータ駆動及びＰＬＬ引き込み状態を示す図である。
【図３】ＰＬＬ回路の構成例を示す図である。
【図４】記録ストラテジの例を示す図である。
【図５】記録ストラテジの別の例を示す図である。
【図６】シーク中における記録パワーの制御例を示す図である。
【図７】ＰＬＬ回路の別の構成例を示す図である。
【図８】本発明の別の実施形態としての光ディスク装置の構成例図である。
【図９】データの転送レートとディスク回転数の関係の説明図である。
【符号の説明】
【００３２】
１１…光ディスク、
１２…ピックアップ、
１３…演算回路、
１４…ウォブル検出回路、
１５…記録用ＰＬＬ、
１６…記録信号処理回路、
１７…ライトパルス生成回路、
１８…メモリ、
１９…再生信号処理回路、
２０…入出力回路、
２１…信号入力端子、
３０…回転制御回路、
３１…モータ、
３２…回転数検出回路、
３３…システム制御回路、
４１…ＬＤＤ、
４２…ＬＤ、
４３…プリズム、
４４…対物レンズ、
４５…ＰＤ。
【図１】
2007149185.tif 000003
【図２】
2007149185.tif 000004
【図３】
2007149185.tif 000005
【図４】
2007149185.tif 000006
【図５】
2007149185.tif 000007
【図６】
2007149185.tif 000008
【図７】
2007149185.tif 000009
【図８】
2007149185.tif 000010
【図９】
2007149185.tif 000011